【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
デジタルイメージ処理ファンクションを配布するコンピュータ化された方法であって、前記コンピュータ化された方法は、
少なくとも１つのハードウェアプロセッサを有する少なくとも１つのサーバーによって、１つまたはそれより多くのデジタルイメージ処理ファンクションを使用することと、ここにおいて、前記デジタルイメージ処理ファンクションは地理的な位置に関連付けられ、
ネットワーク上で、複数のモバイルデバイスの各々から、グローバルポジショニングシステム（ＧＰＳ）位置表示を受け取ることと、ここにおいて、前記ＧＰＳ位置表示の各々は、前記複数のモバイルデバイスの１つによって実行されるＧＰＳモジュールに従って決定され、
前記デジタルイメージ処理ファンクションの少なくとも１つに関連付けられた前記地理的な位置と前記複数のモバイルデバイスの少なくとも１つの前記ＧＰＳ位置表示との一致に基づいて、前記ネットワーク上で、前記デジタルイメージ処理ファンクションの少なくとも１つを、前記複数のモバイルデバイスの少なくとも１つに、自動的に送ることと、
を備え、
前記少なくとも１つのイメージ処理ファンクションは、出力イメージを生成するために、前記少なくとも１つのモバイルデバイスにおいて指定されたデジタルイメージを処理するために前記少なくとも１つのモバイルデバイス上で実行されるアプリケーションによって使用されるよう設定される、
方法。
【請求項２】
前記デジタルイメージ処理ファンクションは、オーバレイファンクションを備える、請求項１に記載の方法。
【請求項３】
前記少なくとも１つのイメージ処理ファンクションは、前記アプリケーションによって使用されるように設定される、白黒ファンクション、セピアファンクション、および、アンティークファンクションからなるグループから選択されたメンバーを備える、請求項１に記載の方法。
【請求項４】
少なくとも１つのハードウェアプロセッサを有する少なくとも１つのサーバーによって、１つまたはそれより多くのデジタルイメージ処理ファンクションを使用することは、複数のイメージ処理ファンクションを、各々、それが関連付けられた地理的な位置を用いて、アクセスすることを備える、
請求項１に記載の方法。
【請求項５】
前記ネットワーク上で、前記デジタルイメージ処理ファンクションの少なくとも１つを、前記複数のモバイルデバイスの少なくとも１つに送ることは、複数の追加の地理的な位置に関連付けられた複数のイメージ処理ファンクションを送ることを備え、
前記複数の追加の地理的な位置の各々は、それぞれ、前記少なくとも１つのモバイルデバイスの前記位置表示に一致する、
請求項４に記載の方法。
【請求項６】
前記アプリケーションは、前記複数のイメージ処理ファンクションを表示するグラフィカルユーザインターフェースを含む、請求項５に記載の方法。
【請求項７】
前記アプリケーションは、１つまたはそれより多くのソシアルネットワークにおいて前記出力イメージを公開するためのプログラムコードを含む、請求項１に記載の方法。
【請求項８】
前記アプリケーションは、さらに、前記モバイルデバイス上に前記出力イメージを記憶するためのプログラムコードを含む、請求項１に記載の方法。
【請求項９】
前記イメージ処理ファンクションは、前記デジタルイメージにアイコンを付すことを備える、請求項１に記載の方法。
【請求項１０】
前記少なくとも１つのイメージ処理ファンクションは、出力デジタルビデオを生成するために、前記少なくとも１つのモバイルデバイスにおいて指定されたビデオを処理するように前記アプリケーションによって使用されるよう設定される、請求項１に記載の方法。
【請求項１１】
さらに、
処理された前記デジタルイメージを受け取ることと、
キャンペーンコンペのために、処理された前記デジタルイメージに関係するイベントをモニターすることと、
を備える、請求項１に記載の方法。
【請求項１２】
前記複数のモバイルデバイスの前記少なくとも１つは、人口統計学上の特徴を規定する１つまたはそれより多くの配布ルールにしたがって選択される、請求項１に記載の方法。
【請求項１３】
前記少なくとも１つのイメージ処理ファンクションは、それに従って、前記出力イメージを生成するために、前記デジタルイメージにおいて示されたコンテンツを分析するコンテンツ処理ファンクションを備える、請求項１に記載の方法。
【請求項１４】
前記少なくとも１つのイメージ処理ファンクションは、前記出力イメージを生成するために、前記デジタルイメージにアイコンを埋め込むように前記デジタルイメージを処理するために前記少なくとも１つのモバイルデバイス上で実行されるアプリケーションによって使用されるように設定され、
前記アイコンは、商業上の製品、スポーツイベント、文化的なイベント、慈善イベント、および、政治的なイベントの少なくとも１つと関連付けられるものとして、複数のエンドユーザによって認識可能である、
請求項１に記載の方法。
【請求項１５】
さらに、少なくとも１つのソシアルメディアネットワークにおいて、処理された前記デジタルイメージを配布することに応答して、前記少なくとも１つのモバイルデバイスの少なくともひとりのエンドユーザに、少なくとも１つの報奨を設定することを備える、請求項１に記載の方法。
【請求項１６】
さらに、前記少なくとも１つのモバイルデバイスの少なくともひとりのエンドユーザのイベントをトラッキングする統計的分析を実行することを備える、請求項１に記載の方法。
【請求項１７】
デジタルイメージ処理ファンクションを配布するシステムであって、
１つまたはそれより多くのデジタルイメージ処理ファンクションを備えるデータベースと、ここにおいて、前記デジタルイメージ処理ファンクションは地理的な位置に関連付けられ、
ネットワーク上で、複数のモバイルデバイスの各々から、グローバルポジショニングシステム（ＧＰＳ）位置表示を受け取るよう適応されたネットワークインタフェースと、ここにおいて、前記ＧＰＳ位置表示の各々は、前記複数のモバイルデバイスの１つによって実行されるＧＰＳモジュールに従って決定され、
前記デジタルイメージ処理ファンクションの少なくとも１つに関連付けられた前記地理的な位置と前記複数のモバイルデバイスの少なくとも１つのモバルデバイスの前記ＧＰＳ位置表示との一致に基づいて、前記デジタルイメージ処理ファンクションの少なくとも１つを選択するように適応された少なくとも１つのハードウェアプロセッサと、
を備え、
前記ネットワークインタフェースは、前記ネットワーク上で、前記少なくとも１つのデジタルイメージ処理ファンクションを、前記少なくとも１つのモバイルデバイスに送り、
前記少なくとも１つのイメージ処理ファンクションは、出力デジタルイメージを生成するために、前記少なくとも１つのモバイルデバイスにおいて指定されたデジタルイメージを処理するために前記少なくとも１つのモバイルデバイス上で実行されるアプリケーションによって使用されるよう設定される、
システム。
【手続補正２】
【補正対象書類名】明細書
【補正対象項目名】０２１６
【補正方法】変更
【補正の内容】
【０２１６】
個々の公開文献、特許、または、特許出願、特に、および個別に、参照によってこの中に組み込まれることが示されていると同様に、この明細書の中で述べられた全ての公開文献、特許、および、特許出願は、この明細書の中で参照することによって、それらの全体がこの中に組み込まれる。加えて、この出願の中での参照の引用または表示は、該参照が本発明の先行技術として利用可能であることの了承として解釈されてはならない。セクションの頭書きが用いられているという点では、それらは、必然的に限定することとは解釈されるべきではない。
以下に、本願出願当初の特許請求の範囲に記載された発明を付記する。
［Ｃ１］
デジタルイメージブランディングファンクションを配布するコンピュータ化された方法であって、前記コンピュータ化された方法は、
少なくとも１つの配布ルールに関連付けられた前記デジタルイメージブランディングファンクションを受け取ることと；
プロセッサを用いて、前記少なくとも１つの配布ルールにしたがって、複数のエンドユーザをマッピングするデータセットから選択されるエンドユーザのグループの一致をとることと、
前記グループの各メンバーに前記イメージブランディングファンクションの表示を提示するために命令を送ることと、前記表示は、前記メンバーに関連付けられたクライアントターミナルのディスプレイ上に提示される、
を備え、
前記イメージブランディングファンクションは、ブランド付けされたデジタルイメージを生成するために、前記クライアントターミナルにおいて指定されたデジタルイメージを処理するために設定される、
コンピュータ化された方法。
［Ｃ２］
前記イメージブランディングファンクションは、グラフィカルなものを埋め込むために設定されるイメージレイアウトブランディングファンクションである、［Ｃ１］に記載のコンピュータ化された方法。
［Ｃ３］
前記配布ルールは、少なくとも１つのソシアルメディアネットワークの少なくとも１つのメンバーのグループの少なくとも一人のメンバーをターゲットとする配布ルールである、［Ｃ１］に記載のコンピュータ化された方法。
［Ｃ４］
前記イメージブランディングファンクションは、前記ブランド付けされたデジタルイメージを生成するために、前記デジタルイメージの中で示されたコンテンツを分析するコンテンツ処理ファンクションである、［Ｃ１］に記載のコンピュータ化された方法。
［Ｃ５］
マッチングモジュールにおいて、前記クライアントターミナル上の少なくとも１つのセンサーから現在のデータメトリクスを受け取ることと、
前記受け取ることに応答して、マッチングモジュールによって、前記現在のデータメトリクスを第２の配布ルールと一致をとることと、
前記第２の配布ルールを、前記グループの各メンバーに送ることと、
をさらに備えた、［Ｃ１］に記載のコンピュータ化された方法。
［Ｃ６］
複数のイメージブランディングファンクションがカスケードにされており、それによって、前記イメージブランディングファンクションを生成する、［Ｃ１］に記載のコンピュータ化された方法。
［Ｃ７］
前記少なくとも１つのセンサーは、イメージセンサー、加速度計、ジャイロスコープ、位置特定デバイス、光センサー、温度センサー、血液レートモニター、心拍数モニター、および、湿度センサーの内の少なくとも１つである、［Ｃ５］に記載のコンピュータ化された方法。
［Ｃ８］
ブランド付けされたデジタルイメージを生成するために、前記クライアントターミナルにおいて前記メンバーによって指定されたデジタルイメージを、前記イメージブランディングファンクションにしたがって処理することと、
前記ブランド付けされたデジタルイメージを出力することと、をさらに備えた、［Ｃ１］に記載のコンピュータ化された方法。
［Ｃ９］
エンドユーザの前記グループの前記メンバーの各々によって、前記ブランド付けされたデジタルイメージを少なくとも１つのソシアルメディアネットワークに配布することに応答して、エンドユーザの前記グループの前記メンバーの各々を、少なくとも１つの金銭的な報奨で報いること、
をさらに備える、［Ｃ８］に記載のコンピュータ化された方法。
［Ｃ１０］
前記少なくとも１つの金銭的な報奨の尺度は、少なくとも１つのソシアルメディアネットワークのメンバーグループの内の少なくとも１人のメンバーが、前記ブランド付けされたデジタルイメージの前記配布に応答する頻度である、［Ｃ９］に記載のコンピュータ化された方法。
［Ｃ１１］
エンドユーザが、少なくとも１つの物理的に実行されるサービスから、少なくとも１つの支払済の個別ギフトを注文することを可能にし、それによって、前記ブランド付けされたデジタルイメージの前記少なくとも１つの支払い済みの個別ギフト上での印刷を可能にすること、をさらに備える、［Ｃ９］に記載のコンピュータ化された方法。
［Ｃ１２］
複数のイメージブランディングファンクションを記録するデータベースと、前記複数のイメージブランディングファンクションの各々は、少なくとも１つの配布ルールに関連付けられる、
プロセッサと、
前記プロセッサを用いて、前記少なくとも１つの配布ルールのそれぞれにしたがって、複数のエンドユーザをマッピングするデータセットから選択されるエンドユーザのグループを、前記複数のイメージブランディングファンクションの第１のものと一致をとるマッチングモジュールと、
前記グループの各メンバーに、前記複数のイメージブランディングファンクションの前記第１のものの表示を提示するために、命令を送るネットワークインタフェースと、前記表示は、前記メンバーに関連付けられたクライアントターミナルのディスプレイ上に提示される、
ブランド付けされたイメージを生成し、前記ブランド付けされたイメージを出力するために、前記イメージブランディングファンクションにしたがって、前記クライアントターミナルにおいて前記メンバーによって指定されたデジタルイメージを処理するイメージ処理モジュールと、
を備えた、イメージブランディングファンクションを配布する、コンピュータ化されたシステム。
［Ｃ１３］
エンドユーザによって用いられるクライアントターミナルであって、
少なくとも１つのデジタルイメージを取り込むためのイメージセンサーと、
プロセッサと、
１またはそれより多くのプログラムのためのコンピュータプログラムコードを含むメモリと、
を備え、
前記メモリと前記コンピュータプログラムコードは、前記プロセッサを用いて、前記クライアントターミナル上で実行する駐在アプリケーションに、少なくとも以下：
前記クライアントターミナル上で、グラフィカル・ユーザ・インタフェース（ＧＵＩ）の提示を開始することと；
前記ＧＵＩ上の第１の領域における第１のパレット上に表示される少なくとも１つのイメージブランディングファンクションを受け取ることと；
前記イメージセンサーを用いて、前記ＧＵＩ上の第２の領域における第２のパレット上に表示される、少なくとも１つのデジタルイメージを取り込むことと；
前記少なくとも１つのデジタルイメージの中の関心のある少なくとも１つの領域を特定することと；
少なくとも１つのイメージブランディングファンクションを前記少なくとも１つの関心のある領域に適用し、それによって、前記少なくとも１つの１つのデジタルイメージを、少なくとも１つのブランド付けされたデジタルイメージに変換することと；
前記ブランド付けされたデジタルイメージを出力することと；
を行わせる、クライアントターミナル。
［Ｃ１４］
前記エンドユーザに、第３のパレットを表示する第３の領域における、少なくとも１つのイメージ処理ファンクションを備えたデータセットへのアクセスを与えることと、
前記エンドユーザによって、前記少なくとも１つのイメージ処理ファンクションの少なくとも１つを選択することと、
エンドユーザによってクリックされたとき、前記少なくとも１つのイメージ処理ファンクションの前記少なくとも１つを、前記少なくとも１つのデジタルイメージの少なくとも１つに適用するボタンを、第４の領域に表示し、それによって、第５の領域において、前記エンドユーザに、少なくとも１つのブランド付けされたデジタルイメージのグループを表示することと、
をさらに備えた、［Ｃ１３］に記載のクライアントターミナル。
［Ｃ１５］
前記受け取ることは、
少なくとも１つのイメージフィルタを提供する、第三者のイメージ共有サービスをアクセスすることと、
前記少なくとも１つのイメージブランディングファンクションを、前記少なくとも１つのイメージフィルタと一体化することと、
をさらに備える、［Ｃ１３］に記載のクライアントターミナル。
［Ｃ１６］
前記駐在アプリケーションによって、前記クライアントターミナルに取り付けられた少なくとも１つのセンサーから現在のデータメトリクスを受け取ることと、
前記受け取ることに応答して、前記イメージブランディングファンクションを修正することと、
を更に備える、［Ｃ１３］に記載のクライアントターミナル。
［Ｃ１７］
前記出力することにおいて、前記少なくとも１つのブランド付けされたデジタルイメージは、エクチェンジアブル・イメージ・ファイル・フォーマット（ＥＸＩＦ）添付ファイルに関連付けられた、ジョイント・フォトグラフィー・エンジニアリング・グループ（ＪＰＥＧ）のイメージフォーマットの形式であり、ＥＸＩＦ添付ファイルは、日時、場所、キャンペーンのリファレンスＩＤ、デバイスタイプ、エンドユーザＩＤ、および、エンドユーザの詳細の少なくとも１つを備える、［Ｃ１３］に記載のクライアントターミナル。
［Ｃ１８］
第１のクライアントターミナルが、第２のクライアントターミナルとのニア・フィールド・コミュニケーションズ（ＮＦＣ）を確立し、それによって、前記第１のクライアントターミナルの第１のエンドユーザが、少なくとも１つの駐在アプリケーションを前記第２のクライアントターミナルの第２のエンドユーザに送信することを可能にする、［Ｃ１３］に記載のクライアントターミナル。
［Ｃ１９］
前記イメージ処理ファンクションは、デブラー、色修正、オート・フォーカス、フィル・フラッシュ、クロッピング、デモーションブラー、白黒、セピア、アンティーク、オーバレイ、ピンチ、ズーム、および、回転の少なくとも１つである、［Ｃ１４］に記載のクライアントターミナル。
［Ｃ２０］
少なくとも１つのイメージフィルタを提供する第三者のイメージ共有サービスにアクセスすることと、
前記駐在アプリケーションによって、前記少なくとも１つのイメージブランディングファンクションを、前記第三者のイメージ共有サービスに送ることと、
前記送ることに応答して、前記第三者のイメージ共有サービスによって、前記少なくとも１つのイメージブランディングファンクションを、前記少なくとも１つのイメージフィルタと一体化することと、
をさらに備えた、［Ｃ１３］に記載のクライアントターミナル。
［Ｃ２１］
イメージブランディングファンクションを配布するために媒体に具体化されたコンピュータ読取り可能なプログラムコードを有する非一時的なコンピュータ使用可能記憶媒体を備えたコンピュータプログラム製品であって、
プロセッサを、少なくとも１つの配布ルールに関連付けられたデジタルイメージブランディングファンクションを受け取ることを可能にするための第１のコンピュータ読取り可能なプログラムコードと、
プロセッサを、前記少なくとも１つの配布ルールにしたがって、複数のエンドユーザをマッピングするデータセットから選択されるエンドユーザのグループの一致をとることを可能にするための第２のコンピュータ読取り可能なプログラムコードと、
プロセッサを、前記グループの各メンバーに前記イメージブランディングファンクションの表示を提示するために命令を送ることを可能にするための第３のコンピュータ読取り可能なプログラムコードと、前記表示は、前記メンバーに関連付けられたクライアントターミナルのディスプレイ上に提示される、
プロセッサを、ブランド付けされたデジタルイメージを生成するために、前記デジタルイメージブランディングファンクションにしたがって、前記クライアントターミナルにおいて前記メンバーによって指定されたデジタルイメージを処理することを可能にするための第４のコンピュータ読取り可能なプログラムコードと、
プロセッサを、前記ブランド付けされたデジタルイメージを出力することを可能にするための第５のコンピュータ読取り可能なプログラムコードと、
を備える、コンピュータプログラム製品。